(57)【要約】【課題】視力障害者がゲームをして、弱い力でも、ボールを反射板で充分に反射させることができ、命中精度の高い、且つ、盲人卓球台に利用できるボウリング遊具を得る。【解決手段】ピンデツキ板４と反射板２０とレーン板５からなるボウリング遊具において、ピンデツキ板４上に複数の支持棒１−ａ、１−ｂ、１−ｃ、１−ｄ、１−ｅを設け、ピンデツキ板４前側の一方の支持棒１−ａにシート状部材３の一方の側部を取り付け、シート状部材３の中間部は、ピンデツキ板４後部側３本の支持棒１−ｂ、１−ｃ、１−ｄの外側を通して、更に、シート状部材３の他の側部を、ピンデツキ板４前側の他方の支持棒１−ｅに引張して取り付ける。【選択図】      図１
2004188138.tif 000002
【特許請求の範囲】
【請求項１】
ピンデツキ板（４）と反射板（２０）とレーン板（５）からなるボウリング遊具において、ピンデツキ板（４）上に複数の支持棒（１−ａ）（１−ｂ）（１−ｃ）（１−ｄ）（１−ｅ）を設け、ピンデツキ板（４）前側の一方の支持棒（１−ａ）にシート状部材（３）の一方の側部を取り付け、シート状部材（３）の中間部は、ピンデツキ板（４）後部側三本の支持棒（１−ｂ）（１−ｃ）（１−ｄ）の外側を通して、更に、シート状部材（３）の他の側部を、ピンデツキ板（４）前側の他方の支持棒（１−ｅ）に引張して取り付けたボウリング遊具。
【請求項２】
シート状部材（３）が柔軟であることを特徴とする請求項１記載のボウリング遊具。
【請求項３】
レーン板（５）の手前側にボール置き（１３）と位置決め板（１０−ａ）（１０−ｂ）を配置した請求項１、２記載のボウリング遊具。
【請求項４】
レーン板（５）の四隅の下部に、溝部（２２）を形成した取付金具（２１）を設け、その取付金具（２１）の溝部（２２）に、保持具（２３）の差込部（２４）を差込み、各保持具（２３）の保持部（２５）外側に、帯状物（２６）を張設したことを特徴とする請求項１記載のボウリング遊具。
【発明の詳細な説明】
【０００１】
【発明の属する技術分野】
本発明は、ボウリング遊具に関する。
【０００２】
【従来の技術】
従来のボウリング遊具としては、例えば、図７に示すようにピンデツキ板の後方と側方に反射板を設け、前方にレーン板を設けたものがある。（特開２００１−９０８１号公報参照）
【０００３】
【発明が解決しようとする課題】
近年、障害者のスポーツは盛んになり、そのための様々な用具や遊具が開発されてきた。しかし、視力障害者のためのものは、極めて不十分であるの現状である。一方、交通事故や糖尿病等の合併症による視力障害者が増加しつつある。視力障害者が希望を持つて、楽しく毎日を過ごし、また、健常者との交流を深めるためにも、健常者と対等に遊べる様々な遊具が求められている。本発明は、その課題を解決するべく発明したもので、従来のボウリング遊具を改善して、視力障害者が、一台のボウリング遊具で、ボウリングと盲人卓球ができるようにしたものである。従来のボウリング遊具にあつては、一球目の投球後、ピンデツキ板に立ち残つた複数のピンを二投目で全て倒すために、ピンデツキ板上の後部と両側部に垂直に立設した反射板を設け、その反射板にボールを強く反射させてピンを倒すようにしている。しかし、幼児や高齢者や障害者等は強い投球が出来ず、反射板にボールを当てても充分に反射させることが出来ないため、二投目で全てのピンを倒す、いわゆる、スペアをとりずらいという欠点があり、ボウリングゲームの面白みを欠く原因となつていた。更に、視力障害者は介助者の助言を得ても、勘で投球するので命中精度を上げることは難しかつた。これら弱者や障害者は、健常者と一諸にゲームに参加しても、対等に行うことはができなかつた。更に、図１０に示されるように、天板に枠を取り付けた盲人卓球台が知られている。しかし、この台は、枠を天板に固着しているため、他の用途に使用できず、高コストなので、一部の大きな施設で利用されるだけで一般には全く普及していなかつた。
【０００４】
本発明は、視力障害者や幼児、高齢者、障害者等が、キユーで打球した力の弱いボールでも、充分に反射させることが出来、且つ、視力障害者が介助者の助言を必要とせず、また、キユーを打球具として使用することにより、命中精度を上げることのでき、且つ、レーン板を、低コストで盲人用の卓球台として利用でき、二種類の異なるゲームができる、ボウリング遊具を得ることを目的としている。
【０００５】
【課題を解決するための手段】
上記目的を達成するために、本発明に係るピンデツキ板と反射板とレーン板からなるボウリング遊具においては、ピンデツキ板上に複数の支持棒を設け、ピンデツキ板前側の一方の支持棒に、シート状部材の一方の側部を取り付け、シート状部材の中間部は、ピンデツキ板後部側三本の支持棒の外側を通して、更に、シート状部材の他の側部を、ピンデツキ板前側の他方の支持棒に引張して取り付けたものである。支持棒は５本設けるが、３本でもよい。ピンデツキ板上に設ける支持棒は、ボールを反射させるための反射板の役目となるシート状部材を支え、引張するためのものである。ピンデツキ板に支持棒を直接取り付けてもよいが、ピンデツキ板に支持棒支えを取り付け、その支持棒支えに支持棒を着脱自在に螺着するとよい。
【０００６】
次に、シート状部材は、前記の課題を解決したものであつて、各支持棒に引くように張つて、シート状部材に張力を発生させて、弱い衝撃力でも反射、反発するようにしたもので、トランポリンの原理を応用したものである。張力を強くするため、シート状部材の一方の側部を筒状に形成し支持棒に取り付け、他方の側に、マジツクテープ凸凹を縫着し、シート状部材に張力が増加するように支持棒に巻いて、マジツクテープ凸凹を接着して取り付けるとよい。シート状部材は、天然繊維、化学繊維、塩化ビニール樹脂、ポリエチレン樹脂、皮革、柔軟なプラスチツク等で製作する。
【０００７】
又、請求項２のものは、シート状部材が柔軟であることが特徴である。柔軟な部材は、色々なものがあるが、幅広ゴムを使用するとよい。
【０００８】
請求項３のものは、レーン板の手前側にボール置きと位置決め板を配列したものである。一つのボール置きと、二つの位置決め板を一体に形成したものを組み合わせることにより、ボールを置く位置とボールの打球の方向を決めるためのものである。打球する用具はキユーを使用するとよい。そして、ボール置きの中心にボールを置けるように、ボールを置く部分を略Ｖ字形状に形成し、置いたボールが安定するようゴムひもを取り付けるとよい。また、ボール置きの中心を示す印として、Ｖ字型の切り欠きを付けるとよい。更に、二つの位置決め板の表面には、手で触つて判るよう等間隔に凹部を設けるとよい。また、判断する方法として、凸部にしてもよい。
【０００９】
請求項４のものは、レーン板の四隅に取付金具を設け、その取付金具の溝部に保持具の差込部を差込み、各保持具の保持部外側に帯状物を張設したものである。保持具はレーン板の外周に帯状物を張設するためのものである。保持具や帯状物を取り付けるのは、レーン板を単独に使用して盲人卓球台として利用する場合で、ボウリング遊具のレーン板として使用する場合は、保持具を取り外し可能なように、着脱自在にすると効果的である。帯状物を保持具に張設するには、帯状物の両端部の対向面にマジツクテープ凸凹を縫着して、夫々を接着するとよい。帯状物を幅広ゴムにして取り付けてもよい。
【００１０】
本発明に係るボウリング遊具は、次のように使用する。まず、ボウリング遊具として使用する場合は、ピンデツキ板の後部中央部と両側部に５本の支持棒を取り付け、各支持棒にシート状部材を張力ををもつようにして取り付ける。シート状部材にボールを衝突させて、反射、反発が弱いときは、シート状部材を引き締めるため、マジツクテープの接着を調整して、強い引張状態になるようにする。
【００１１】
次に、柔軟部材に、幅広ゴムを使用したものは、強く引張しなくても、幅広ゴム自体に反射力があるので、弱い力でボールを衝突させても、充分に反射させることができる。
【００１２】
視力障害者がゲームする場合は、図４に示すように、二つの位置決め板を一体形成したものを配置する。ボール置きは、前方側の位置決め板と、その下部を左右に可動可能となるように組み合わせる。第１打目は、ボール置きをレーン板の中心になるように置いて、ボール載部にボールを置く。この場合、ボール置きの中心印と位置決め板の中心である凹部を指先でなぞつて合わせるとよい。打球具であるキユーの先端の位置はボール置きの中心印によつて確保し、キユーを握つて支える側の位置は、手前側の位置決め板の中心の凹部によつて決める。キユーの高さの位置は、ボールの中心に合わせる。そして打球すると、ボールはピンデツキ板の中心方向へ転がつてゆくことになる。次に、第１投目の後、ピンデツキ板に複数のピンが立ち残つた場合は、立ち残つたピンのパターンにより、ボール置きの位置、二つの位置決め板の凹部の位置を事前に調べておくことが必要となる。例えば、図６で示すように、１９−７、１９−１０のピンが立ち残つた場合、事前に判つているそのパターンの両凹部の位置に基ずき、前後二つの位置決め板の凹部を結んだ矢印の線上にボール置きを合わせ、そして、ボール載部にボールを置く。更に、二つの位置決め板の凹部によつてキユーの位置を判断して、想定した矢印の方向に打球すると視力に障害があつても命中精度を上げることができる。よつて、スペアなどの好結果を得ることができるようになる。
【００１３】
盲人卓球台として利用する場合は、ボウリング遊具のレーン板のみを使用する。レーン板に保持具を取り付け、各保持具の外周に帯状物を張設する。レーン板の上で鈴の錘が入つた跳ねないボールを、天板上を転がしてラケツトで打ち合うが、帯状物で天板の外周を囲んでいるので、ボールが落球することなくゲームすることができる。
【００１４】
【発明の実施の形態】
発明の実施の形態を実施例にもとづき図面を参照して説明する。
図１、２において、４は四角形状のピンデツキ板を示し、５は長方形状のレーン板を示している。ピンデツキ板４の後部中央部と両側部４箇所に略５角形状に配設するように支持棒支え２をビスネジで取り付け、その支持棒支え２の雌ネジ部に支持棒１の雄ネジ部を螺着して、支持棒１をピンデツキ板４の上方に向けて立設している。更に、別に用意した帯状のシート状部材３の端部を逢着して筒状に形成している。もう一方の端辺にマジツクテープ凸７凹８を並列に離して逢着している。そのシート状部材３の筒状の部分を支持棒１−ａに嵌め込み、シート状部材３を支持棒１−ｂ、１−ｃ、１−ｄの外側を通して、シート状部材３を引張して、且つ、支持棒１−ｅに巻き込みマジツクテープ凸７凹８を接着してシート状部材３を張設している。
【００１５】
図３に示される実施例では、９は帯状の幅広ゴムを示している。幅広ゴム９の両端部を筒状になるように縫着して形成している。夫々の筒状の部分を支持棒１−ａ、１−ｅ、に差込み、幅広ゴム９の中央部を引張して他の支持棒１−ｂ、１−ｃ、１−ｄの外側に通して、幅広ゴム９を張設している。
【００１６】
図４に示される実施例では、レーン板５の手前側の上部に二つの長方形状の位置決め板１０−ａ、１０−ｂを互いに離れて、且つ、ピンデツキ板４に平行に配設している。また、二つの位置決め板１０−ａ、１０−ｂは連結部材１２で連結して一体形成している。また、夫々の位置決め板１０−ａ、１０−ｂの表面に等間隔に凹部１１を設けている。更に、前方側の位置決め板１０−ａとレーン板５の間には隙間を形成している。その隙間にボール
2004188138.tif 000003
略Ｖ字形状に切り欠いて、その切り欠き部に細いゴム１５を取り付けて、三角形状のボール載部１４を形成している。また、他方の端部中央にＶ字形状の切り欠きをつけ、ボール置１３の中心印１６としている。
【００１７】
図８に示される実施例では、レーン板５を単独で盲人卓球台として使用する場合を示している。レーン板５の四隅の下部側に、取付金具２１を取り付けている。取付金具２１に溝部２２を設け、その溝部２２に、Ｌ字形状で差込部２４と保持部２５で形成した保持具２３の差込部２４を差込んでいる。レーン板５の外周の長さと同じ長さの帯状物２６を用意し、その端部の対向する夫々の面にマジツクテープ凸７凹８を縫着する。保持具２３の保持部２５の外側に帯状物２６を通うし、引張してマジツクテープ凸７凹８を接着している。
【００１８】
【発明の効果】
本発明は、以上説明したように構成されているので、以下に記載されるような効果を奏する。
【００１９】
シート部材や幅広ゴムを引張して設けるので、ボールが当つた場合の反射、反発力が増大し、打球、または、投球したボールの力が弱くてもボールを充分に反射することができ、且つ、勘に頼らなくても、ボールの位置、ボールの方向、キユーの位置を決めることができるので、命中精度を向上させることができる。
【００２０】
レーン板を単独で使用して、保持具と帯状物を取り付けるだけで、低コストな盲人卓球台として利用でき、且つ、一台のボウリング遊具で、二つの異なるゲームをすることができる。
【図面の簡単な説明】
【図１】実施例１を示す斜視図である。
【図２】シート状部材の構造を示す参考図である。
【図３】幅広ゴムの構造を示す参考図である。
【図４】位置決め板とボール置の組み合わせ状態を示す斜視図である。
【図５】ボールを置いた状態を示す参考図である。
【図６】ボールの方向を示す参考図である。
【図７】従来のボウリング遊具を示す参考図である。
【図８】レーン板を盲人卓球台として使用した状態を示す参考図である。
【図９】取付金具と保持具の関係を示す参考図である。
【図１０】従来の盲人卓球台を示す参考図である。
【符号の説明】
１−ａ、ｂ、ｃ、ｄ、ｅ    支持棒  ２  支持棒支え  ３  シート状部材
４  ピンデツキ板          ５  レーン板      ９  幅広ゴム
１０−ａ、ｂ  位置決め板  １１  凹部        １３  ボール置き
１４  ボール載部          １６  中心印      １７  ボール
１８  キユー              １９  ピン        ２０  反射板
２１  取付金具            ２２  溝部        ２３  保持具
２４  差込部              ２５  保持部      ２６  帯状物
【図１】
2004188138.tif 000004
【図２】
2004188138.tif 000005
【図３】
2004188138.tif 000006
【図４】
2004188138.tif 000007
【図５】
2004188138.tif 000008
【図６】
2004188138.tif 000009
【図７】
2004188138.tif 000010
【図８】
2004188138.tif 000011
【図９】
2004188138.tif 000012
【図１０】
2004188138.tif 000013